【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
パーソナルナビゲーションデバイスによる強化されたターンバイターン指示を提供するための方法であって、
計画された移動のルートに沿った次回のターンのための困難インジケーションを取得するよう困難なターンのデータベースにアクセスすることと、ここにおいて、前記困難インジケーションは、見逃されたターンレポートから導かれた見逃されたターン統計に基づく、または計算される、
前記次回のターンのための前記困難インジケーションがしきい値を上回るかどうかを決定することと、
前記しきい値を上回る前記次回のターンのための前記困難インジケーションに応じて、前記次回のターンのための強化された指示を出すことと
を備える方法。
【請求項２】
困難なターンのデータベースにアクセスすることは、前記パーソナルナビゲーションデバイス上に記憶される困難なターンのローカルデータベースにアクセスすることを備える、請求項１に記載の方法。
【請求項３】
困難なターンのデータベースにアクセスすることは、時刻、通日、気象条件、外部気温、交通条件、照明条件、移動速度、移動方向、および車両のタイプから成るグループから選択された状況パラメータを使用して前記パーソナルナビゲーションデバイス上に記憶される困難なターンのローカルデータベースにアクセスすることを備える、請求項２に記載の方法。
【請求項４】
１つまたは複数の状況パラメータに関して情報を収集することをさらに備え、ここにおいて、状況パラメータを使用して前記パーソナルナビゲーションデバイス上に記憶される困難なターンのローカルデータベースにアクセスすることは、前記収集された情報を使用して前記困難なターンのローカルデータベースにアクセスすることを備える、請求項３に記載の方法。
【請求項５】
前記見逃されたターンレポートは、ターンバイターン指示の間に見逃されたターン、および前記ターンが見逃された時点の状況パラメータに関する情報を識別する、請求項１に記載の方法。
【請求項６】
困難なターンのデータベースにアクセスすることは、
特定のターンのための困難のインジケーションのための要求を、困難なターンのデータベースを維持するサーバへ送信することと、ここにおいて、前記要求は、前記ターンを識別する、
前記サーバから前記特定のターンのための困難インジケーションを受信することと
を備える、請求項１に記載の方法。
【請求項７】
前記次回のターンのための強化された指示を出すことは、困難なターンが前方にあるというより早い警告、および前記次回のターンの前記困難さに関する情報のうちの１つをユーザに提供することを備える、請求項１に記載の方法。
【請求項８】
前記パーソナルナビゲーションデバイスのユーザが前記次回のターンに精通しているかどうかをローカル運転データベースから決定することをさらに備え、前記次回のターンのための強化された指示を出すことは、前記パーソナルナビゲーションデバイスの前記ユーザが前記次回のターンに精通していない場合にのみ果たされる、請求項１に記載の方法。
【請求項９】
前記計画されたルートに沿ったターンのうちの１つまたは複数が困難しきい値を上回るかどうかを決定することと、
前記計画されたルートに沿ったターンのうちの１つまたは複数が困難しきい値を上回ることに応じて、新規ルートを計画することと
をさらに備える、請求項１に記載の方法。
【請求項１０】
見逃されたターンのレポートを、複数のパーソナルナビゲーションデバイスからサーバにおいて受信することと、ここにおいて、前記見逃されたターンのレポートは、ターンバイターン指示の間に見逃されたターン、および前記ターンが見逃された時点の状況パラメータに関する情報を識別する、
前記複数のパーソナルナビゲーションデバイスから受信された見逃されたターンデータを集計することによって困難なターンのデータベースを生成することと、
前記困難なターンの生成されたデータベースへのアクセスをパーソナルナビゲーションデバイスに提供することと
をさらに備える、請求項１に記載の方法。
【請求項１１】
ターンバイターン指示の間にターンが見逃された場合にパーソナルナビゲーションデバイス内で決定することと、
前記見逃されたターンは故意に見逃されたのではないかどうかを決定することと、
前記見逃されたターンに関連する状況情報を収集することと、
前記見逃されたターンを識別する見逃されたターンレポートを前記サーバに送信することと、前記収集された状況情報のうちの少なくともいくつかを含むことと
をさらに備える、請求項１０に記載の方法。
【請求項１２】
パーソナルナビゲーションデバイスであって、
計画された移動のルートに沿った次回のターンのための困難インジケーションを取得するよう、困難なターンのデータベースにアクセスするための手段と、ここにおいて、前記困難インジケーションは、見逃されたターンレポートから導かれた見逃されたターン統計に基づく、または計算される、
前記次回のターンのための前記困難インジケーションがしきい値を上回るかどうかを決定することと、
前記しきい値を上回る前記次回のターンのための前記困難インジケーションに応じて、前記次回のターンのための強化された指示を出すための手段と
を備えるパーソナルナビゲーションデバイス。
【請求項１３】
ターンバイターン指示の間にターンが見逃された場合に決定するための手段と、
前記見逃されたターンは故意に見逃されたのではないかどうかを決定するための手段と、
前記見逃されたターンに関連する状況情報を収集するための手段と、
前記見逃されたターンを識別する見逃されたターンレポートをサーバに送信するための手段と、前記収集された状況情報のうちの少なくともいくつかを含むための手段と
をさらに備える、請求項１２に記載のパーソナルナビゲーションデバイス。
【請求項１４】
見逃されたターンのレポートを、複数のパーソナルナビゲーションデバイスから受信するための手段と、ここにおいて、前記見逃されたターンのレポートは、ターンバイターン指示の間に見逃されたターンおよび前記ターンが見逃された時点の状況パラメータに関する情報を識別する、
前記複数のパーソナルナビゲーションデバイスから受信された見逃されたターンデータを集計することによって困難なターンのデータベースを生成するための手段と、
前記困難なターンの生成されたデータベースへのアクセスをパーソナルナビゲーションデバイスに提供するための手段と
を備える、サーバ。
【請求項１５】
パーソナルナビゲーションデバイスプロセッサに、
計画された移動のルートに沿った次回のターンのための困難インジケーションを取得するために、困難なターンのデータベースにアクセスすることと、ここにおいて、前記困難インジケーションは、見逃されたターンレポートから導かれた見逃されたターン統計に基づく、または計算される、
前記次回のターンのための前記困難インジケーションがしきい値を上回るかどうかを決定することと、
前記しきい値を上回る前記次回のターンのための前記困難インジケーションに応じて、前記次回のターンのための強化された指示を出すことと
を備える動作を実行させるように構成されるその上に記憶されるプロセッサ実行可能命令を有する、非一時的なプロセッサ可読記憶媒体。
【手続補正２】
【補正対象書類名】明細書
【補正対象項目名】００５４
【補正方法】変更
【補正の内容】
【００５４】
[0062]開示された態様の先行説明は、本発明を製造または使用することをいずれの当業者にも可能にさせるよう提供される。これらの態様に対する様々な改良は当業者に容易に明らかとなり、本明細書に定義された一般的な原理は、発明の範囲から逸脱することなく、他の態様に適用されうる。したがって、本発明は、本明細書に示された態様に限定されることは意図しておらず、本明細書に開示された原理および新規な特徴と一致する最も広い範囲が付与されるべきである。
以下に本願発明の当初の特許請求の範囲に記載された発明を付記する。
［Ｃ１］
パーソナルナビゲーションデバイスによる強化されたターンバイターン指示を提供するための方法であって、
計画された移動のルートに沿った次回のターンのための困難インジケーションを取得するよう困難なターンのデータベースにアクセスすることと、
前記次回のターンのための前記困難インジケーションがしきい値を上回るかどうかを決定することと、
しきい値を上回る前記次回のターンのための前記困難インジケーションに応じて、前記次回のターンのための強化された指示を出すことと
を備える方法。
［Ｃ２］
困難なターンのデータベースにアクセスすることは、前記パーソナルナビゲーションデバイス上に記憶される困難なターンのローカルデータベースにアクセスすることを備える、
Ｃ１に記載の方法。
［Ｃ３］
困難なターンのデータベースにアクセスすることは、時刻、通日、気象条件、外部気温、交通条件、照明条件、移動速度、移動方向、および車両のタイプから成るグループから選択された状況パラメータを使用して前記パーソナルナビゲーションデバイス上に記憶される困難なターンの前記ローカルデータベースにアクセスすることを備える、
Ｃ２に記載の方法。
［Ｃ４］
１つまたは複数の状況パラメータに関して情報を収集することをさらに備え、ここにおいて、状況パラメータを使用して前記パーソナルナビゲーションデバイス上に記憶される困難なターンのローカルデータベースにアクセスすることは、前記収集された情報を使用して前記困難なターンのローカルデータベースにアクセスすることを備える、
Ｃ３に記載の方法。
［Ｃ５］
困難なターンのデータベースにアクセスすることは、
特定のターンのための困難のインジケーションのための要求を、困難なターンのデータベースを維持するサーバへ送信することと、ここにおいて、前記要求は、前記ターンを識別する、
前記サーバから前記特定のターンのための困難インジケーションを受信することと
を備える、Ｃ１に記載の方法。
［Ｃ６］
前記次回のターンのための強化された指示を出すことは、困難なターンが前方にあるというより早い警告、および前記次回のターンの前記困難さに関する情報のうちの１つをユーザに提供することを備える、
Ｃ１に記載の方法。
［Ｃ７］
前記パーソナルナビゲーションデバイスのユーザが前記次回のターンに精通しているかどうかをローカル運転データベースから決定することをさらに備え、前記次回のターンのための強化された指示を出すことは、前記パーソナルナビゲーションデバイスの前記ユーザが前記次回のターンに精通していない場合にのみ果たされる、
Ｃ１に記載の方法。
［Ｃ８］
前記計画されたルートに沿った１つまたは複数のターンが困難しきい値を上回るかどうかを決定することと、
前記計画されたルートに沿った１つまたは複数のターンが困難しきい値を上回ることに応じて、新規ルートを計画することと
をさらに備える、Ｃ１に記載の方法。
［Ｃ９］
パーソナルナビゲーションデバイスによって強化されたターンバイターン指示を提供するための方法であって、
見逃されたターンのレポートを、複数のパーソナルナビゲーションデバイスからサーバにおいて受信することと、ここにおいて、前記見逃されたターンのレポートは、ターンバイターン指示の間に見逃されたターン、および前記ターンが見逃された時点の状況パラメータに関する情報を識別する、
前記複数のパーソナルナビゲーションデバイスから受信された見逃されたターンデータを集計することによって困難なターンのデータベースを生成することと、
前記困難なターンの生成されたデータベースへのアクセスをパーソナルナビゲーションデバイスに提供することと
を備える方法。
［Ｃ１０］
ターンバイターン指示の間にターンが見逃された場合にパーソナルナビゲーションデバイス内で決定することと、
前記見逃されたターンは故意に見逃されたのではないかどうかを決定することと、
前記見逃されたターンに関連する状況情報を収集することと、
前記見逃されたターンを識別する見逃されたターンレポートを前記サーバに送信することと、少なくともいくつかの前記収集された状況情報を含むことと
をさらに備える、Ｃ９に記載の方法。
［Ｃ１１］
前記困難なターンの生成されたデータベースへのアクセスをパーソナルナビゲーションデバイスに提供することは、
ターン困難インジケーションのためのパーソナルナビゲーションデバイスからの要求を受信することと、ここにおいて、前記要求は、前記ターンを識別および現在の状況情報を含む、
前記データベースおよび困難なターン内の前記ターンを調べるために、前記識別されたターンおよび現在の状況情報を使用することと、
前記困難なターンのデータベース内に記憶されるターン困難インジケーションを前記パーソナルナビゲーションデバイスに送信することと
を備える、Ｃ９に記載の方法。
［Ｃ１２］
前記困難なターンの生成されたデータベースへのアクセスをパーソナルナビゲーションデバイスに提供することは、
前記困難なターンのデータベースの少なくとも一部を、パーソナルナビゲーションデバイス上に実装するために適した困難なターンデータベースに初期化することと、
前記困難なターンデータベースを前記サーバから複数のパーソナルナビゲーションデバイスに送信することと、
前記複数のパーソナルナビゲーションデバイスのうちの少なくとも１つ内で前記困難なターンデータベースを受信することと、
前記複数のパーソナルナビゲーションデバイスのうちの前記少なくとも１つのメモリ内に前記受信された困難なターンデータベースを記憶することと
を備える、Ｃ９に記載の方法。
［Ｃ１３］
パーソナルナビゲーションデバイスであって、
ディスプレイと、
メモリと、
前記ディスプレイおよび前記メモリに結合されるプロセッサと
を備え、前記プロセッサは、
計画された移動のルートに沿った次回のターンのための困難インジケーションを取得するよう困難なターンのデータベースにアクセスすることと、
前記次回のターンのための前記困難インジケーションがしきい値を上回るかどうかを決定することと、
しきい値を上回る前記次回のターンのための前記困難インジケーションに応じて、前記次回のターンのための強化された指示を出すことと
を備える動作を実行するようプロセッサ実行可能命令を用いて構成される、パーソナルナビゲーションデバイス。
［Ｃ１４］
前記プロセッサは、困難なターンのデータベースにアクセスすることが前記メモリ上に記憶される困難なターンのローカルデータベースにアクセスすることを備えるように、動作を実行するようプロセッサ実行可能命令を用いて構成される、
Ｃ１３に記載のパーソナルナビゲーションデバイス。
［Ｃ１５］
前記プロセッサは、困難なターンのデータベースにアクセスすることが、時刻、通日、気象条件、外部気温、交通条件、照明条件、移動速度、移動方向、および車両のタイプから成るグループから選択された状況パラメータを使用して前記メモリ内に記憶される困難なターンのローカルデータベースにアクセスすることを備えるように、動作を実行するようプロセッサ実行可能命令を用いて構成される、
Ｃ１４に記載のパーソナルナビゲーションデバイス。
［Ｃ１６］
前記プロセッサは、１つまたは複数の状況パラメータに関して情報を収集することをさらに備える動作を実行するようプロセッサ実行可能命令を用いて構成され、
前記プロセッサは、状況パラメータを使用して前記メモリ内に記憶される困難なターンのローカルデータベースにアクセスすることが、前記収集された情報を使用して前記困難なターンのローカルデータベースにアクセスすることを備えるように、動作を実行するようプロセッサ実行可能命令を用いて構成される、
Ｃ１５に記載のパーソナルナビゲーションデバイス。
［Ｃ１７］
前記プロセッサは、困難なターンのデータベースにアクセスすることが、
特定のターンのための困難のインジケーションのための要求を、困難なターンのデータベースを維持するサーバへ送信することと、ここにおいて、前記要求は、前記ターンを識別する、
前記サーバから前記特定のターンのための困難インジケーションを受信することと
を備えるように、動作を実行するようプロセッサ実行可能命令を用いて構成される、
Ｃ１３に記載のパーソナルナビゲーションデバイス。
［Ｃ１８］
前記プロセッサは、前記次回のターンのための強化された指示を出すことが、困難なターンが前方にあるというより早い警告、および前記次回のターンの前記困難に関する情報のうちの１つをユーザに提供することを備えるように、動作を実行するようプロセッサ実行可能命令を用いて構成される、
Ｃ１３に記載のパーソナルナビゲーションデバイス。
［Ｃ１９］
前記プロセッサは、前記パーソナルナビゲーションデバイスのユーザが前記次回のターンに精通しているかどうかをローカル運転データベースから決定することをさらに備える動作を実行するようプロセッサ実行可能命令を用いて構成され、
前記プロセッサは、前記次回のターンのための強化された指示を出すことが、前記パーソナルナビゲーションデバイスの前記ユーザが前記次回のターンに精通していないと決定される場合にのみ果たされるように、動作を実行するようプロセッサ実行可能命令を用いて構成される、
Ｃ１３に記載のパーソナルナビゲーションデバイス。
［Ｃ２０］
前記プロセッサは、動作を実行するようプロセッサ実行可能命令を用いて構成され、前記動作は、
前記計画されたルートに沿った１つまたは複数のターンが困難しきい値を上回るかどうかを決定することと、
前記計画されたルートに沿った１つまたは複数のターンが困難しきい値を上回ることに応じて、新規ルートを計画することと
をさらに備える、Ｃ１３に記載のパーソナルナビゲーションデバイス。
［Ｃ２１］
前記プロセッサは、動作を実行するようプロセッサ実行可能命令を用いて構成され、前記動作は、
ターンバイターン指示の間にターンが見逃される場合を決定することと、
前記見逃されたターンは故意に見逃されたのではないかどうかを決定することと、
前記見逃されたターンに関連する状況情報を収集することと、
前記見逃されたターンを識別する見逃されたターンレポートをサーバに送信することと、少なくともいくつかの前記収集された状況情報を含むことと
をさらに備える、Ｃ１３に記載のパーソナルナビゲーションデバイス。
［Ｃ２２］
メモリと、
前記メモリに結合されるプロセッサを備え、ここにおいて、前記プロセッサは、
見逃されたターンのレポートを、複数のパーソナルナビゲーションデバイスから受信することと、ここにおいて、前記見逃されたターンのレポートは、ターンバイターン指示の間に見逃されたターンおよび前記ターンが見逃された時点の状況パラメータに関する情報を識別する、
前記複数のパーソナルナビゲーションデバイスから受信された見逃されたターンデータを集計することによって困難なターンのデータベースを生成することと、
前記困難なターンの生成されたデータベースへのアクセスをパーソナルナビゲーションデバイスに提供することと
を備える動作を実行するようプロセッサ実行可能命令を用いて構成される、
サーバ。
［Ｃ２３］
前記プロセッサは、動作を実行するためにプロセッサ実行可能命令を用いて構成され、前記動作は、
ターン困難インジケーションのためのパーソナルナビゲーションデバイスからの要求を受信することと、ここにおいて、前記要求は、前記ターンを識別および現在の状況情報を含む、
前記困難なターンのデータベース内の前記ターンを調べるよう、前記識別されたターンおよび現在の状況情報を使用することと、
前記困難なターンのデータベース内に記憶されるターン困難インジケーションを前記パーソナルナビゲーションデバイスに送信することと
をさらに備える、Ｃ２２に記載のサーバ。
［Ｃ２４］
前記プロセッサは、前記困難なターンの生成されたデータベースへのアクセスをパーソナルナビゲーションデバイスに提供することが、
前記困難なターンのデータベースの少なくとも一部を、パーソナルナビゲーションデバイス上に実装するために適した困難なターンデータベースに初期化することと、
前記困難なターンデータベースを前記サーバから複数のパーソナルナビゲーションデバイスに送信することと
を備えるように、動作を実行するようプロセッサ実行可能命令を用いて構成される、
Ｃ２２に記載のサーバ。
［Ｃ２５］
前記プロセッサは、
複数のコントリビュータから、特定の目的地への推奨される運転ルートを受信することと、
前記受信された推奨される運転ルートを統合されたデータベースに集計することによって、前記特定の目的地への好ましいルートのデータベースを生成することと、
前記好ましいルートの生成されたデータベースへのアクセスをパーソナルナビゲーションデバイスに提供することと
をさらに備える動作を実行するようプロセッサ実行可能命令を用いて構成される、
Ｃ２２に記載のサーバ。
［Ｃ２６］
通信ネットワークに結合されたサーバと、
前記通信ネットワークで前記サーバと通信するために構成されたパーソナルナビゲーションデバイス（ＰＮＤ）と
を備え、前記パーソナルナビゲーションデバイスは、メモリおよび前記メモリに結合されたＰＮＤプロセッサを備え、前記ＰＮＤプロセッサは、
計画された移動のルートに沿った次回のターンのための困難インジケーションを取得するために、困難なターンのデータベースにアクセスすることと、
前記次回のターンのための前記困難インジケーションがしきい値を上回るかどうかを決定することと、
しきい値を上回る前記次回のターンのための前記困難インジケーションに応じて、前記次回のターンのための強化された指示を出すことと
を備える動作を実行するようプロセッサ実行可能命令を用いて構成される、
システム。
［Ｃ２７］
前記ＰＮＤプロセッサは、困難なターンのデータベースにアクセスすることが前記パーソナルナビゲーションデバイスメモリ内に記憶される困難なターンのローカルデータベースにアクセスすることを備えるように、動作を実行するようプロセッサ実行可能命令を用いて構成される、
Ｃ２６に記載のシステム。
［Ｃ２８］
前記ＰＮＤプロセッサは、困難なターンのデータベースにアクセスすることは、時刻、通日、気象条件、外部気温、交通条件、照明条件、移動速度、移動方向、および車両のタイプから成るグループから選択された状況パラメータを使用して前記パーソナルナビゲーションデバイスメモリ上に記憶される困難なターンのローカルデータベースにアクセスすることを備えるように、動作を実行するようプロセッサ実行可能命令を用いて構成される、
Ｃ２７に記載のシステム。
［Ｃ２９］
前記ＰＮＤプロセッサは、１つまたは複数の状況パラメータに関して情報を収集することをさらに備える動作を実行するようプロセッサ実行可能命令を用いて構成され、
状況パラメータを使用して前記パーソナルナビゲーションデバイス上に記憶される困難なターンのローカルデータベースにアクセスすることは、前記収集された情報を使用して前記困難なターンのローカルデータベースにアクセスすることを備える、
Ｃ２８に記載のシステム。
［Ｃ３０］
前記ＰＮＤプロセッサは、困難なターンのデータベースにアクセスすることが、
特定のターンのための困難のインジケーションのための要求を、困難なターンのデータベースを維持する前記サーバへ送信することと、ここにおいて、前記要求は、前記ターンを識別する、
前記サーバから前記特定のターンのための困難インジケーションを受信することと
を備えるように、動作を実行するようプロセッサ実行可能命令を用いて構成される、
Ｃ２６に記載のシステム。
［Ｃ３１］
前記サーバは、
ターン困難インジケーションのための前記パーソナルナビゲーションデバイスからの要求を受信することと、前記ターンを識別する前記要求、および、現在の状況情報を含むことと、
前記困難なターンのデータベース内の前記ターンを調べるよう、前記識別されたターンおよび現在の状況情報を使用することと、
前記困難なターンのデータベース内に記憶されるターン困難インジケーションを前記パーソナルナビゲーションデバイスに送信することと
をさらに備えるように動作を実行するようサーバ実行可能命令を用いて構成される、
Ｃ３０に記載のシステム。
［Ｃ３２］
前記ＰＮＤプロセッサは、前記次回のターンのための強化された指示を出すことは、困難なターンが前方にあるというより早い警告、および前記次回のターンの前記困難に関する情報のうちの１つをユーザに提供することを備えるように、動作を実行するようプロセッサ実行可能命令を用いて構成される、
Ｃ２６に記載のシステム。
［Ｃ３３］
前記ＰＮＤプロセッサは、前記パーソナルナビゲーションデバイスのユーザが前記次回のターンに精通しているかどうかをローカル運転データベースから決定することをさらに備える動作を実行するようプロセッサ実行可能命令を用いて構成され、前記次回のターンのための強化された指示を出すことは、前記パーソナルナビゲーションデバイスの前記ユーザが前記次回のターンに精通していないと決定される場合にのみ果たされる、
Ｃ２６に記載のシステム。
［Ｃ３４］
前記ＰＮＤプロセッサは、
前記計画されたルートに沿った１つまたは複数のターンが困難しきい値を上回るかどうかを決定することと、
前記計画されたルートに沿った１つまたは複数のターンが困難しきい値を上回ることに応じて、新規ルートを計画することと
をさらに備える動作を実行するようプロセッサ実行可能命令を用いて構成される、
Ｃ２６に記載のシステム。
［Ｃ３５］
前記サーバは、
見逃されたターンのレポートを、複数のパーソナルナビゲーションデバイスから受信することと、ここにおいて、前記見逃されたターンのレポートは、ターンバイターン指示の間に見逃されたターンおよび前記ターンが見逃された時点の状況パラメータに関する情報を識別する、
前記複数のパーソナルナビゲーションデバイスから受信された見逃されたターンデータを集計することによって困難なターンのデータベースを生成することと、
前記困難なターンの生成されたデータベースへのアクセスをパーソナルナビゲーションデバイスに提供することと
を備える動作を実行するようサーバ実行可能命令を用いて構成される、
Ｃ２６に記載のシステム。
［Ｃ３６］
前記ＰＮＤプロセッサは、
ターンバイターン指示の間にターンが見逃される場合に決定することと、
前記見逃されたターンは故意に見逃されたのではないかどうかを決定することと、
前記見逃されたターンに関連する状況情報を収集することと、
前記見逃されたターンを識別する見逃されたターンレポートを前記サーバに送信することと、少なくともいくつかの前記収集された状況情報を含むことと
をさらに備える動作を実行するようプロセッサ実行可能命令を用いて構成される、
Ｃ３５に記載のシステム。
［Ｃ３７］
前記サーバは、前記困難なターンの生成されたデータベースへのアクセスをパーソナルナビゲーションデバイスに提供することが、
前記困難なターンのデータベースの少なくとも一部を、パーソナルナビゲーションデバイス上に実装するために適した困難なターンデータベースに初期化することと、
前記困難なターンデータベースを前記サーバから前記パーソナルナビゲーションデバイスに送信することと
を備えるように、動作を実行するようサーバ実行可能命令を用いて構成され、
前記ＰＮＤプロセッサは、
前記困難なターンデータベースを受信することと、
前記受信された困難なターンデータベースをパーソナルナビゲーションデバイスメモリ内に記憶することと
をさらに備える動作を実行するようプロセッサ実行可能命令を用いて構成される、
Ｃ３５に記載のシステム。
［Ｃ３８］
前記サーバは、
複数のコントリビュータから、特定の目的地への推奨される運転ルートを受信することと、
前記受信された推奨される運転ルートを統合されたデータベースに集計することによって、前記特定の目的地への好ましいルートのデータベースを生成することと、
前記好ましいルートの生成されたデータベースへのアクセスを前記パーソナルナビゲーションデバイスに提供することと
を備える動作を実行するようサーバ実行可能命令を用いて構成される、
Ｃ２６に記載のシステム。
［Ｃ３９］
パーソナルナビゲーションデバイスであって、
計画された移動のルートに沿った次回のターンのための困難インジケーションを取得するよう、困難なターンのデータベースにアクセスするための手段と、
前記次回のターンのための前記困難インジケーションがしきい値を上回るかどうかを決定することと、
しきい値を上回る前記次回のターンのための前記困難インジケーションに応じて、前記次回のターンのための強化された指示を出すための手段と
を備えるパーソナルナビゲーションデバイス。
［Ｃ４０］
困難なターンのデータベースにアクセスするための手段は、前記パーソナルナビゲーションデバイス上に記憶される困難なターンのローカルデータベースにアクセスするための手段を備える、
Ｃ３９に記載のパーソナルナビゲーションデバイス。
［Ｃ４１］
困難なターンのデータベースにアクセスするための手段は、時刻、通日、気象条件、外部気温、交通条件、照明条件、移動速度、移動方向、および車両のタイプから成るグループから選択された状況パラメータを使用して前記パーソナルナビゲーションデバイス上に記憶される困難なターンのローカルデータベースにアクセスするための手段を備える、
Ｃ３９に記載のパーソナルナビゲーションデバイス。
［Ｃ４２］
１つまたは複数の状況パラメータに関して情報を収集するための手段をさらに備え、
状況パラメータを使用して前記パーソナルナビゲーションデバイス上に記憶される困難なターンのローカルデータベースにアクセスするための手段は、前記収集された情報を使用して前記困難なターンのローカルデータベースにアクセスするための手段を備える、
Ｃ４１に記載のパーソナルナビゲーションデバイス。
［Ｃ４３］
困難なターンのデータベースにアクセスするための手段は、
特定のターンのための困難さのインジケーションのための要求を、困難なターンのデータベースを維持するサーバへ送信するための手段と、ここにおいて、前記要求は、前記ターンを識別する、
前記サーバから前記特定のターンのための困難インジケーションを受信するための手段と
を備える、Ｃ３９に記載のパーソナルナビゲーションデバイス。
［Ｃ４４］
前記次回のターンのための強化された指示を出すための手段は、困難なターンが前方にあるというより早い警告、および前記次回のターンの前記困難に関する情報のうちの１つをユーザに提供するための手段を備える、
Ｃ３９に記載のパーソナルナビゲーションデバイス。
［Ｃ４５］
前記パーソナルナビゲーションデバイスのユーザが前記次回のターンに精通しているかどうかをローカル運転データベースから決定するための手段を備え、
前記次回のターンのための強化された指示を出すための手段は、前記パーソナルナビゲーションデバイスの前記ユーザが前記次回のターンに精通していない場合にのみ果たされる前記次回のターンのための強化された指示を出すための手段を備える、
Ｃ３９に記載のパーソナルナビゲーションデバイス。
［Ｃ４６］
前記計画されたルートに沿った１つまたは複数のターンが困難しきい値を上回るかどうかを決定するための手段と、
前記計画されたルートに沿った１つまたは複数のターンが困難しきい値を上回ることに応じて、新規ルートを計画するための手段と
をさらに備える、Ｃ３９に記載のパーソナルナビゲーションデバイス。
［Ｃ４７］
ターンバイターン指示の間にターンが見逃された場合を決定するための手段と、
前記見逃されたターンは故意に見逃されたのではないかどうかを決定するための手段と、
前記見逃されたターンに関連する状況情報を収集するための手段と、
前記見逃されたターンを識別する見逃されたターンレポートをサーバに送信するための手段と、少なくともいくつかの前記収集された状況情報を含むための手段と
をさらに備える、Ｃ３９に記載のパーソナルナビゲーションデバイス。
［Ｃ４８］
見逃されたターンのレポートを、複数のパーソナルナビゲーションデバイスから受信するための手段と、ここにおいて、前記見逃されたターンのレポートは、ターンバイターン指示の間に見逃されたターンおよび前記ターンが見逃された時点の状況パラメータに関する情報を識別する、
前記複数のパーソナルナビゲーションデバイスから受信された見逃されたターンデータを集計することによって困難なターンのデータベースを生成するための手段と、
前記困難なターンの生成されたデータベースへのアクセスをパーソナルナビゲーションデバイスに提供するための手段と
を備える、サーバ。
［Ｃ４９］
ターン困難インジケーションのためのパーソナルナビゲーションデバイスからの要求を受信するための手段と、ここにおいて、前記要求は、前記ターンを識別および現在の状況情報を含む、
前記困難なターンのデータベース内の前記ターンを調べるよう、前記識別されたターンおよび現在の状況情報を使用するための手段と、
前記困難なターンのデータベース内に記憶されるターン困難インジケーションを前記パーソナルナビゲーションデバイスに送信するための手段と
をさらに備える、Ｃ４８に記載のサーバ。
［Ｃ５０］
前記困難なターンの生成されたデータベースへのアクセスをパーソナルナビゲーションデバイスに提供することは、
前記困難なターンのデータベースの少なくとも一部を、パーソナルナビゲーションデバイス上に実装するために適した困難なターンデータベースに初期化するための手段と、
前記困難なターンデータベースを前記サーバから複数のパーソナルナビゲーションデバイスに送信するための手段と
を備える、Ｃ４８に記載のサーバ。
［Ｃ５１］
複数のコントリビュータから、特定の目的地への推奨される運転ルートを受信するための手段と、
前記受信された推奨される運転ルートを統合されたデータベースに集計することによって、前記特定の目的地への好ましいルートのデータベースを生成するための手段と、
前記好ましいルートの生成されたデータベースへのアクセスをパーソナルナビゲーションデバイスに提供するための手段と
をさらに備える、Ｃ４８に記載のサーバ。
［Ｃ５２］
パーソナルナビゲーションデバイスプロセッサに、
計画された移動のルートに沿った次回のターンのための困難インジケーションを取得するために、困難なターンのデータベースにアクセスすることと、
前記次回のターンのための前記困難インジケーションがしきい値を上回るかどうかを決定することと、
しきい値を上回る前記次回のターンのための前記困難インジケーションに応じて、前記次回のターンのための強化された指示を出すことと
を備える動作を実行させるように構成されるその上に記憶されるプロセッサ実行可能命令を有する、
非一時的なプロセッサ可読記憶媒体。
［Ｃ５３］
前記記憶されたプロセッサ実行可能命令は、前記パーソナルナビゲーションデバイスプロセッサに、困難なターンのデータベースにアクセスすることがパーソナルナビゲーションデバイス上に記憶される困難なターンのローカルデータベースにアクセスすることを備えるように、動作を実行させるように構成される、
Ｃ５２に記載の非一時的なプロセッサ可読記憶媒体。
［Ｃ５４］
前記記憶されたプロセッサ実行可能命令は、前記パーソナルナビゲーションデバイスプロセッサに、困難なターンのローカルデータベースにアクセスすることが、時刻、通日、気象条件、外部気温、交通条件、照明条件、移動速度、移動方向、および車両のタイプから成るグループから選択された状況パラメータを使用して前記パーソナルナビゲーションデバイス上に記憶される困難なターンのローカルデータベースにアクセスすることを備えるように、動作を実行させるように構成される、
Ｃ５３に記載の非一時的なプロセッサ可読記憶媒体。
［Ｃ５５］
前記記憶されたプロセッサ実行可能命令は、前記パーソナルナビゲーションデバイスプロセッサに、１つまたは複数の状況パラメータに関して情報を収集することをさらに備える動作を実行させるように構成され、
前記記憶されたプロセッサ実行可能命令は、前記パーソナルナビゲーションデバイスプロセッサに、状況パラメータを使用して前記パーソナルナビゲーションデバイス上に記憶される困難なターンのローカルデータベースにアクセスすることが、前記収集された情報を使用して前記困難なターンのローカルデータベースにアクセスすることを備えるように、動作を実行させるように構成される、
Ｃ５４に記載の非一時的なプロセッサ可読記憶媒体。
［Ｃ５６］
前記記憶されたプロセッサ実行可能命令は、前記パーソナルナビゲーションデバイスプロセッサに、
ターンバイターン指示の間にターンが見逃される場合に決定することと、
前記見逃されたターンは故意に見逃されたのではないかどうかを決定することと、
前記見逃されたターンに関連する状況情報を収集することと、
前記見逃されたターンを識別する見逃されたターンレポートを前記サーバに送信することと、少なくともいくつかの前記収集された状況情報を含むことと
をさらに備える動作を実行させるように構成される、Ｃ５２に記載の非一時的なプロセッサ可読記憶媒体。
［Ｃ５７］
前記記憶されたプロセッサ実行可能命令は、前記パーソナルナビゲーションデバイスプロセッサに、
特定のターンのための困難のインジケーションのための要求を、困難なターンのデータベースを維持するサーバへ送信することと、ここにおいて、前記要求は、前記ターンを識別する、
前記サーバから前記特定のターンのための困難インジケーションを受信することと
をさらに備える、Ｃ５２に記載の非一時的なプロセッサ可読記憶媒体。
［Ｃ５８］
前記記憶されたプロセッサ実行可能命令は、前記パーソナルナビゲーションデバイスプロセッサに前記次回のターンのための強化された指示を出すことが、困難なターンが前方にあるというより早い警告、および前記次回のターンの前記困難に関する情報のうちの１つをユーザに提供することを備えるように、動作を実行させるように構成される、
Ｃ５２に記載の非一時的なプロセッサ可読記憶媒体。
［Ｃ５９］
前記記憶されたプロセッサ実行可能命令は、前記パーソナルナビゲーションデバイスプロセッサに、前記パーソナルナビゲーションデバイスのユーザが前記次回のターンに精通しているかどうかをローカル運転データベースから決定することをさらに備える動作を実行させるように構成され、
前記記憶されたプロセッサ実行可能命令は、前記パーソナルナビゲーションデバイスプロセッサに、前記次回のターンのための強化された指示を出すことが、前記パーソナルナビゲーションデバイスの前記ユーザが前記次回のターンに精通していない場合にのみ果たされるように、動作を実行させるように構成される、Ｃ５２に記載の非一時的なプロセッサ可読記憶媒体。
［Ｃ６０］
前記記憶されたプロセッサ実行可能命令は、前記パーソナルナビゲーションデバイスプロセッサに、
前記計画されたルートに沿った１つまたは複数のターンが困難しきい値を上回るかどうかを決定することと、
前記計画されたルートに沿った１つまたは複数のターンが困難しきい値を上回ることに応じて、新規ルートを計画することと
をさらに備える動作を実行させるように構成される、Ｃ５２に記載の非一時的なプロセッサ可読記憶媒体。
［Ｃ６１］
サーバに、
見逃されたターンのレポートを、複数のパーソナルナビゲーションデバイスから受信することと、ここにおいて、前記見逃されたターンのレポートは、ターンバイターン指示の間に見逃されたターンおよび前記ターンが見逃された時点の状況パラメータに関する情報を識別する、
前記複数のパーソナルナビゲーションデバイスから受信された見逃されたターンデータを集計することによって困難なターンのデータベースを生成することと、
前記困難なターンの生成されたデータベースへのアクセスをパーソナルナビゲーションデバイスに提供することと
をさらに備える動作を実行させるように構成されるその上に記憶されるサーバ実行可能命令を有する、非一時的なプロセッサ可読記憶媒体。
［Ｃ６２］
前記記憶されたサーバ実行可能命令は、前記サーバに、
ターン困難インジケーションのためのパーソナルナビゲーションデバイスからの要求を受信することと、前記要求は、前記ターンを識別および現在の状況情報を含む、
前記困難なターンのデータベース内の前記ターンを調べるよう、前記識別されたターンおよび現在の状況情報を使用することと、
前記困難なターンのデータベース内に記憶されるターン困難インジケーションを前記パーソナルナビゲーションデバイスに送信することと
をさらに備える動作を実行させるように構成される、Ｃ６１に記載の非一時的なコンピュータ記憶媒体。
［Ｃ６３］
前記記憶されたサーバ実行可能命令は、前記サーバに、前記困難なターンの生成されたデータベースへのアクセスをパーソナルナビゲーションデバイスに提供することが、
前記困難なターンのデータベースの少なくとも一部を、パーソナルナビゲーションデバイス上に実装するために適した困難なターンデータベースに初期化することと、
前記困難なターンデータベースを前記サーバから複数のパーソナルナビゲーションデバイスに送信することと
を備えるように、動作を実行させるように構成される、Ｃ６２に記載の非一時的なコンピュータ可読記憶媒体。
［Ｃ６４］
前記記憶されたサーバ実行可能命令は、前記サーバに、
複数のコントリビュータから、特定の目的地への推奨される運転ルートを受信することと、
前記受信された推奨される運転ルートを統合されたデータベースに集計することによって、前記特定の目的地への好ましいルートのデータベースを生成することと、
前記好ましいルートの生成されたデータベースへのアクセスをパーソナルナビゲーションデバイスに提供することと
をさらに備える動作を実行させるように構成される、Ｃ６２に記載の非一時的なコンピュータ記憶媒体。